(57)【要約】【課題】  オペレータが画像を選択するための手間を大幅に削減し、その結果として、装置のコストアップを抑えることのできる情報処理装置を提供する。【解決手段】  本発明の情報処理装置は、入力される複数の画像を選択的に表示および／または印刷可能な情報処理装置において、入力された画像を複数表示可能な表示装置１０１と、上記表示装置１０１に表示された複数の画像から選択した画像を印刷する画像印刷装置１０８と、入力された画像の特徴を示す画像特徴情報を、予め設定された複数の画像特徴情報の中から特定する画像評価装置１０５と、上記画像特定情報特定手段によって特定された画像特徴情報と、予め設定された画像特徴情報とを比較する表示印刷判定装置１０９と、上記表示印刷判定装置１０９による判定結果に応じて、対象となる入力画像の表示および／または印刷の実行の制御を行う制御装置１０７とを備えている。【選択図】  図１
2006344183.tif 000002
【特許請求の範囲】
【請求項１】
入力される複数の画像を選択的に表示および／または印刷可能な情報処理装置において、
入力された画像を複数表示可能な表示手段と、
上記表示手段に表示された複数の画像から選択した画像を印刷する画像印刷手段と、
入力された画像の特徴を示す画像特徴情報を、予め設定された複数の画像特徴情報の中から特定する画像特徴情報特定手段と、
上記画像特定情報特定手段によって特定された画像特徴情報と、予め設定された画像特徴情報とを比較する情報比較手段と、
上記情報比較手段による比較結果に応じて、比較対象の入力画像の表示および／または印刷の実行の制御を行う表示印刷制御手段とを備えていることを特徴とする情報処理装置。
【請求項２】
上記表示印刷制御手段は、
上記情報比較手段による比較結果が、入力画像の画像特徴情報と、予め設定された画像特徴情報とが一致したことを示した場合、該入力画像を上記表示手段に表示させないように制御することを特徴とする請求項１に記載の情報処理装置。
【請求項３】
上記表示印刷制御手段は、さらに、一致した画像特徴情報に応じた画像サイズで上記画像印刷手段に印刷させるように制御することを特徴とする請求項２に記載の情報処理装置。
【請求項４】
上記表示印刷制御手段は、
上記情報比較手段による比較結果が、入力画像の画像特徴情報と、予め設定された画像特徴情報とが一致したことを示した場合、該入力画像を、上記画像印刷手段による印刷が不可であることを示す情報とともに上記表示手段に表示させるように制御することを特徴とする請求項１に記載の情報処理装置。
【請求項５】
上記表示印刷制御手段は、
上記情報比較手段による比較結果が、入力画像の画像特徴情報と、予め設定された画像特徴情報とが一致したことを示した場合、該入力画像を、一致した画像特徴情報に応じた画像サイズで上記画像印刷手段に印刷させることが可能であることを示す情報とともに上記表示手段に表示させるように制御することを特徴とする請求項１に記載の情報処理装置。
【請求項６】
上記表示印刷制御手段は、
上記情報比較手段による比較結果が、入力画像の画像特徴情報と、予め設定された画像特徴情報とが一致したことを示した場合、該入力画像を、上記画像印刷手段で印刷可能であることを示す情報とともに上記表示手段に表示させるように制御することを特徴とする請求項１に記載の情報処理装置。
【請求項７】
上記画像特徴情報特定手段は、
入力画像を複数のブロックに分割するブロック分割手段と、
上記ブロック分割手段によって得られたブロック毎の輝度から入力画像の特徴を示す画像特徴情報を特定するための輝度情報を算出する輝度情報算出手段と、
上記輝度情報算出手段によって算出された輝度情報と、予め設定された画像特徴情報に対応付けられた輝度情報とを比較して、入力画像の画像特徴を判定する画像特徴判定手段とを含み、
上記画像特徴判定手段によって判定された画像特徴を示す情報を、入力画像の画像特徴情報として特定することを特徴とする請求項１に記載の情報処理装置。
【請求項８】
予め設定された複数の画像特徴情報にそれぞれ対応付けられた輝度情報を格納した輝度情報データベースを備え、
上記画像特徴判定手段は、
上記輝度情報算出手段によって算出された輝度情報と、上記輝度情報データベースに格納された輝度情報との一致度合いから、入力画像の画像特徴情報を分類する分類手段を含み、
上記分類手段によって分類された画像特徴情報から、入力画像の画像特徴を判定することを特徴とする請求項７に記載の情報処理装置。
【請求項９】
上記輝度情報データベースには、上記輝度情報が書き換え可能に格納されており、
さらに、上記輝度情報データベース上の輝度情報を変更するための指示信号が入力可能な入力手段と、
上記入力手段によって入力された指示信号に基づいて、上記輝度情報を変更するための輝度情報変更手段とを備えていることを特徴とする請求項８に記載の情報処理装置。
【請求項１０】
入力される複数の画像を選択的に表示および／または印刷させる画像表示印刷方法において、
入力された画像の特徴を示す画像特徴情報を、予め設定された複数の画像特徴情報の中から特定する第１のステップと、
上記画像特定情報特定手段によって特定された画像特徴情報と、予め設定された画像特徴情報とを比較する第２のステップと、
上記第２のステップによる比較結果に応じて、比較対象の入力画像の表示および／または印刷の実行の制御を行う第３のステップとを含むことを特徴とする画像表示印刷方法。
【請求項１１】
入力される複数の画像を選択的に表示および／または印刷制御する画像表示印刷制御プログラムにおいて、
入力された画像の特徴を示す画像特徴情報を、予め設定された複数の画像特徴情報の中から特定する第１の手順と、
上記画像特定情報特定手段によって特定された画像特徴情報と、予め設定された画像特徴情報とを比較する第２の手順と、
上記第２の手順による比較結果に応じて、比較対象の入力画像の表示および／または印刷の実行の制御を行う第３の手順とをコンピュータに実行させる画像表示印刷制御プログラム。
【請求項１２】
請求項１１に記載の画像表示制御プログラムを記録したコンピュータ読み取り可能な記録媒体。
【発明の詳細な説明】
【技術分野】
【０００１】
本発明は、入力された画像を表示および／または印刷するための画像表示印刷装置等の情報処理装置に関するものである。
【背景技術】
【０００２】
近年のデジタルカメラおよびカラープリンタの普及により、デジタルカメラで撮影した画像をデジタルカメラ自身やコンピュータの表示装置に表示させ、デジタルカメラやコンピュータに接続されたカラープリンタにより印刷することが普及している。また、デジタルカメラで撮影する際に、風景や人物など、同一の場面で、たいへん似たシーンを複数枚撮影することがある。
【０００３】
デジタルカメラで撮影した画像を利用するために、オペレータはデジタルカメラやコンピュータに付随する表示装置で撮影した複数の画像を閲覧する。このとき、オペレータは、閲覧した画像に対して様々な操作あるいは処理を施す。
【０００４】
例えば、オペレータは、閲覧した画像の中から、露光不足、ピンボケ、手ブレなどがなく、良好な画像を選択し、その画像をカラープリンタにより印刷したり、保存したり、あるいは第３者に送付しようとする。あるいは、オペレータは、閲覧した画像の中から、露光不足、ピンボケ、手ブレなどが軽度である画像の補正を試みる。あるいは、オペレータは、閲覧した画像の中から、露光不足、ピンボケ、手ブレなどが著しい画像を削除する。
【０００５】
このように、撮影枚数が多くなると、オペレータは同様のシーンを撮影した複数枚の画像の中から最良の画像を選択するために多くの手間が必要であった。そこで、オペレータが撮影後の複数の画像に対する操作や処理を効率的に行えるような工夫が種々提案されている。
【０００６】
例えば、特許文献１に開示された「複数画像の分類方法」では、ディジタルカメラ撮影や画像処理により、同一またはほぼ同一内容であるが色や明るさ等の撮影・処理条件の異なる沢山の画像を制作する場合、これら多数の画像から用途に最適な一つの画像を選択する際に、例えば画像の相対的明度順に画像を分類・並べ替えることで、客観的なかつ視覚に忠実な画像分類を可能とし、オペレータの作業効率を向上させている。
【０００７】
また、特許文献２に開示された「画像表示方法」では、文書ファイルシステムと、アナログ画像ファイルシステムと、デ−タを相互に関連づけて整理して検索・表示する制御用コンピュータとを備えることにより、多数の文書・図面と対応した写真などの高速検索・表示を可能とすることで、オペレータの作業効率を向上させている。
【０００８】
さらに、特許文献３に開示された「階調補正装置」には、逆光状態や人物の肌色の美しくないビデオプリントをより高画質化するために入力画像を判定して最適な階調補正カーブを生成するための判定処理の高精度化を目的とし、入力画像が「逆光シーン」である信頼度、及びもし逆光シーンであるならば逆光度合を画像処理により判定する技術が開示されている。これにより、従来よりも精度の高い画像判定結果が得られるため階調補正が画像に対して最適化される。従って、オペレータによる分類判定を効率よく行うことができる。
【特許文献１】特開２０００−２０７４０５（平成１２年０７月２８日公開）
【特許文献２】特開平４−１４５５８３（平成４年０５月１９日公開）
【特許文献３】特開平８−６２７４１（平成８年０３月０８日公開）
【発明の開示】
【発明が解決しようとする課題】
【０００９】
しかしながら、デシタルカメラやコンピュータに付随する表示装置では解像度の制約により、撮影した複数の画像を閲覧するときには、撮影した画像の解像度より低い解像度で表示している。この場合、露光不足、ピンボケ、手ブレなどの画像の良否をオペレータが識別することは困難な場合がある。オペレータがなるべく正確な判断をするためには、都度オペレータは画像を拡大して表示し、画像の細部を点検する必要があった。オペレータが誤った判断をすると、例えばピンボケの画像を印刷したためにカラープリンタのインクや記録紙や印刷に費やした時間が無駄となった。
【００１０】
これは、上記の各特許文献に開示された技術を用いても同様である。
【００１１】
しかも、上記の各特許文献では、画像判定を行うために、多数の演算が必要で処理に時間がかかるという問題があり、この問題を解消するために高速な演算装置が必要となり、装置のコストが上がるという問題が生じる。
【００１２】
本発明は、上記の各問題点に鑑みなされたものであって、その目的は、オペレータが画像を選択するための手間を大幅に削減し、その結果として、装置のコストアップを抑えることのできる情報処理装置を提供することにある。
【課題を解決するための手段】
【００１３】
本発明に係る情報処理装置は、上記課題を解決するために、入力される複数の画像を選択的に表示および／または印刷可能な情報処理装置において、入力された画像を複数表示可能な表示手段と、上記表示手段に表示された複数の画像から選択した画像を印刷する画像印刷手段と、入力された画像の特徴を示す画像特徴情報を、予め設定された複数の画像特徴情報の中から特定する画像特徴情報特定手段と、上記画像特定情報特定手段によって特定された画像特徴情報と、予め設定された画像特徴情報とを比較する情報比較手段と、上記情報比較手段による比較結果に応じて、比較対象の入力画像の表示および／または印刷の実行の制御を行う表示印刷制御手段とを備えていることを特徴としている。
【００１４】
上記の構成によれば、入力される画像に対して、画像特徴情報を特定し、その画像特徴情報に応じて、表示手段に表示させるか、あるいは画像印刷手段によって印刷させるかが制御されるので、入力画像を選択的に表示および／または印刷させることが可能となる。
【００１５】
これにより、入力画像が所定の基準を満たしていない場合、例えば、露光不足度合い、ピンボケ度合い、逆光度合いなどの撮影条件が所定の基準を満たしていない場合に、その入力画像を表示させなかったり、あるいは表示させても、印刷をさせなかったり、あるいは表示させても、一部制限付きで印刷させたりすることで、無駄な表示、無駄な印刷を無くすことができる。
【００１６】
従って、従来のように、オペレータが入力画像を一つ一つ確認して、印刷させるか否かを判断するという手間を大幅に軽減することができる。
【００１７】
しかも、ある基準によって機械的に画像の良否を判定することができるので、オペレータが良否の判定をすることが困難な画像であっても、適切な判定を行うことができる。
【００１８】
以上のように、上記の構成の情報処理装置によれば、オペレータが画像を選択するための手間を大幅に削減し、その結果として、装置のコストアップを抑えることができるという効果を奏する。
【００１９】
これらの表示および印刷の制御は、上記表示印刷制御手段によって行われる。以下に具体的な構成を示す。
【００２０】
上記表示印刷制御手段は、上記情報比較手段による比較結果が、入力画像の画像特徴情報と、予め設定された画像特徴情報とが一致したことを示した場合、該入力画像を上記表示手段に表示させないように制御するようにしてもよい。
【００２１】
この場合、入力画像の画像特徴情報と、予め設定された画像特徴情報とが一致したときに、該入力画像を表示させないようになっているので、オペレータが確認するまでも無く、印刷には適さない画像であることが自動的に判定されることになる。
【００２２】
また、上記表示印刷制御手段は、さらに、一致した画像特徴情報に応じた画像サイズで上記画像印刷手段に印刷させるように制御するようにしてもよい。
【００２３】
この場合、入力画像を表示させなくても、一致した画像特徴情報に応じた画像サイズで印刷させることができる。このとき、一致した画像特徴情報に応じた画像サイズとは、例えば、ピンボケ度合いが大きい場合に、画像サイズを入力画像のサイズよりも小さいサイズをいう。このように、画像サイズを小さくして印刷することで、入力画像のピンボケを目立たなくすることができる。
【００２４】
さらに、上記表示印刷制御手段は、上記情報比較手段による比較結果が、入力画像の画像特徴情報と、予め設定された画像特徴情報とが一致したことを示した場合、該入力画像を、上記画像印刷手段による印刷が不可であることを示す情報とともに上記表示手段に表示させるように制御するようにしてもよい。
【００２５】
この場合、入力画像が印刷に適さない場合であっても、印刷に適さないことが分かる情報と一緒に入力画像を表示させることで、オペレータに当該入力画像の印刷が不可であることを容易に認識させることができる。上記情報を警告表示あるいは警告音を生成するための情報であってもよく、オペレータに対してより適切に認識させることができる。
【００２６】
また、以下のように、入力画像を、制限付きで印刷可能か、制限無しで印刷可能かを示す情報とともに表示させるようにしてもよい。
【００２７】
すなわち、上記表示印刷制御手段は、上記情報比較手段による比較結果が、入力画像の画像特徴情報と、予め設定された画像特徴情報とが一致したことを示した場合、該入力画像を、一致した画像特徴情報に応じた画像サイズで上記画像印刷手段に印刷させることが可能であることを示す情報とともに上記表示手段に表示させるように制御するようにしてもよい。
【００２８】
また、上記表示印刷制御手段は、上記情報比較手段による比較結果が、入力画像の画像特徴情報と、予め設定された画像特徴情報とが一致したことを示した場合、該入力画像を、上記画像印刷手段で印刷可能であることを示す情報とともに上記表示手段に表示させるように制御するようにしてもよい。
【００２９】
また、上記画像特徴情報特定手段は、入力画像を複数のブロックに分割するブロック分割手段と、上記ブロック分割手段によって得られたブロック毎の輝度から入力画像の特徴を示す画像特徴情報を特定するための輝度情報を算出する輝度情報算出手段と、上記輝度情報算出手段によって算出された輝度情報と、予め設定された画像特徴情報に対応付けられた輝度情報とを比較して、入力画像の画像特徴を判定する画像特徴判定手段とを含み、上記画像特徴判定手段によって判定された画像特徴を示す情報を、入力画像の画像特徴情報として特定するようにしてもよい。
【００３０】
この場合、入力画像が複数のブロックに分割され、それぞれのブロックの輝度から入力画像の特徴を特定するようになっているので、該入力画像の特徴をより正確に特定したものとなる。つまり、入力画像の画像特徴情報をより正確に特定できるようになる。
【００３１】
これにより、表示装置に表示される画像およびその画像特徴情報により、オペレータは各画像の特徴をより正確に認識することができるので、画像状態の無駄な確認作業や画像の無駄な印刷を無くすことができる。
【００３２】
また、予め設定された複数の画像特徴情報にそれぞれ対応付けられた輝度情報を格納した輝度情報データベースを備え、上記画像特徴判定手段は、上記輝度情報算出手段によって算出された輝度情報と、上記輝度情報データベースに格納された輝度情報との一致度合いから、入力画像の画像特徴情報を分類する分類手段を含み、上記分類手段によって分類された画像特徴情報から、入力画像の画像特徴を判定するようにしてもよい。
【００３３】
この場合、画像特徴判定手段は、輝度情報データベースに格納された輝度情報と、入力画像の輝度情報との一致度合いから、入力画像の画像特徴を判定するようになっているので、入力画像の輝度情報から演算を行って画像特徴を判定する場合に比べて、画像特徴の判定にかかるまでの時間を大幅に短縮することができる。
【００３４】
上記輝度情報データベースには、上記輝度情報が書き換え可能に格納されており、さらに、上記輝度情報データベース上の輝度情報を変更するための指示信号が入力可能な入力手段と、上記入力手段によって入力された指示信号に基づいて、上記輝度情報を変更するための輝度情報変更手段とを備える構成であってもよい。
【００３５】
この場合、輝度情報データベース上の輝度情報が書き換え可能であり、且つ、書き換えのための入力手段を備えているので、オペレータは、表示された画像とその画像特徴情報とを確認した後、必要に応じて輝度情報を変更することが可能となる。
【００３６】
これにより、入力画像の画像特徴をより正確に反映させた情報として、画像特徴情報を得ることができる。つまり、始めに特定された入力画像の画像特徴情報がオペレータが期待するものでなかった場合に、再度、画像特徴情報を特定するための輝度情報を変更することで、オペレータが期待する画像特徴情報を得ることが可能となる。
【００３７】
本発明の画像表示印刷方法は、入力される複数の画像を選択的に表示および／または印刷させる画像表示印刷方法において、入力された画像の特徴を示す画像特徴情報を、予め設定された複数の画像特徴情報の中から特定する第１のステップと、上記画像特定情報特定手段によって特定された画像特徴情報と、予め設定された画像特徴情報とを比較する第２のステップと、上記第２のステップによる比較結果に応じて、比較対象の入力画像の表示および／または印刷の実行の制御を行う第３のステップとを含むことを特徴としている。
【００３８】
上記の構成によれば、入力される画像に対して、画像特徴情報を特定し、その画像特徴情報に応じて、表示手段に表示させるか、あるいは画像印刷手段によって印刷させるかが制御されるので、入力画像を選択的に表示および／または印刷させることが可能となる。
【００３９】
これにより、入力画像が所定の基準を満たしていない場合、例えば、露光不足度合い、ピンボケ度合い、逆光度合いなどの撮影条件が所定の基準を満たしていない場合に、その入力画像を表示させなかったり、あるいは表示させても、印刷をさせなかったり、あるいは表示させても、一部制限付きで印刷させたりすることで、無駄な表示、無駄な印刷を無くすことができる。
【００４０】
従って、従来のように、オペレータが入力画像を一つ一つ確認して、印刷させるか否かを判断するという手間を大幅に軽減することができる。
【００４１】
本発明の画像表示印刷制御プログラムは、入力される複数の画像を選択的に表示および／または印刷制御する画像表示印刷制御プログラムであって、入力された画像の特徴を示す画像特徴情報を、予め設定された複数の画像特徴情報の中から特定する第１の手順と、上記画像特定情報特定手段によって特定された画像特徴情報と、予め設定された画像特徴情報とを比較する第２の手順と、上記第２の手順による比較結果に応じて、比較対象の入力画像の表示および／または印刷の実行の制御を行う第３の手順とをコンピュータに実行させる画像表示印刷制御プログラムである。
【００４２】
上記の構成により、コンピュータで画像表示印刷制御を実現することが可能となる。
【００４３】
しかも、上記画像表示印刷制御プログラムをコンピュータ読み取り可能な記録媒体に記録すれば、汎用のコンピュータ上で画像表示印刷制御を実現することが可能となる。
【発明の効果】
【００４４】
本発明に係る情報処理装置は、以上のように、入力された画像を複数表示可能な表示手段と、上記表示手段に表示された複数の画像から選択した画像を印刷する画像印刷手段と、入力された画像の特徴を示す画像特徴情報を、予め設定された複数の画像特徴情報の中から特定する画像特徴情報特定手段と、上記画像特定情報特定手段によって特定された画像特徴情報と、予め設定された画像特徴情報とを比較する情報比較手段と、上記情報比較手段による比較結果に応じて、比較対象の入力画像の表示および／または印刷の実行の制御を行う表示印刷制御手段とを備えていることで、入力画像の、無駄な表示、無駄な印刷を無くすことができるという効果を奏する。
【発明を実施するための最良の形態】
【００４５】
本発明の一実施形態について説明すると以下の通りである。
【００４６】
本実施の形態に係る情報処理装置は、複数の画像を表示して、各画像の評価を行うことが可能な情報処理装置であり、図１に示すように、画像表示装置（表示手段）１０１、画像入力装置１０２、主記憶装置１０３、画像記憶装置（画像記憶手段）１０４、画像評価装置（画像特徴情報特定手段）１０５、操作ボタン群（指示信号入力手段）１０６、制御装置（表示印刷制御手段）１０７、画像印刷装置１０８、表示印刷判定装置１０９を備えた構成となっている。
【００４７】
上記表示装置１０１は、複数の画像を同時に表示可能な表示手段である。この表示装置１０１としては、例えば、液晶表示装置、ＰＤＰ装置、ＣＲＴ（Cathode Ray Tube）装置等の表示装置が挙げられる。
【００４８】
上記画像入力装置１０２は、上記表示装置１０１に表示させる画像を入力するための装置である。この画像入力装置１０２では、例えばデジタルカメラ、スキャナなどの撮像装置から直接撮像された画像、あるいは記録媒体に記録された画像、通信回線によって伝送された画像が入力できるようになっている。
【００４９】
上記主記憶装置１０３は、上記画像入力装置１０２によって入力された画像に対して施す各種処理のプログラムを一時的に格納したり、一時的に処理データを格納したりする情報処理装置におけるメインメモリである。
【００５０】
上記画像記憶装置１０４は、上記画像入力装置１０２によって入力された画像を記憶したり、各種処理後の画像を記憶する画像記憶手段である。
【００５１】
上記画像評価装置１０５は、上記画像入力装置１０２によって入力された画像の特徴を示す画像特徴情報を、予め設定された複数の画像特徴情報の中から特定し、特定した画像特徴情報を入力された画像の評価情報として上記制御装置１０７に出力する装置である。この画像評価装置１０５の詳細については後述する。
【００５２】
上記操作ボタン群１０６は、情報処理装置本体に対して各種処理を指示するための指示信号を入力するための手段であり、オペレータによって操作される。例えば、上記表示装置１０１に画像を表示させるか否かの指示をするための指示信号を、オペレータが上記操作ボタン群１０６の一番上のボタンを押下することで入力する。このオペレータの操作により、入力された指示信号は、制御装置１０７に出力される。つまり、オペレータによって、操作ボタン群１０６に備えられた各種ボタンが操作されると、操作されたボタンに対応した信号が情報処理装置の制御装置１０７に入力される仕組みとなっている。
【００５３】
上記制御装置１０７は、情報処理装置全体の制御を行う制御手段として機能すると共に、上記表示装置１０１への画像表示の制御を行う表示制御手段としても機能するようになっている。例えば、制御装置１０７が表示制御手段として機能する場合には、画像記憶装置１０４に記憶された複数の画像を表示装置１０１に同時に表示させるように表示制御し、また、上記画像評価装置１０５によって得られた評価情報を入力画像と合わせて表示装置１０１に表示させるように表示制御する。
【００５４】
上記画像印刷装置１０８は、入力された画像を印刷する一般的なプリンタである。
【００５５】
上記表示印刷判定装置１０９は、入力される画像の中からか、上記表示装置１０１に表示させる画像を判定したり、上記画像印刷装置１０８にて印刷するための画像を判定したりする装置である。すなわち、上記表示印刷判定装置１０９は、上記画像評価装置１０５によって特定された画像特徴情報（評価情報）と、予め設定された画像特徴情報（評価情報）とを比較する情報比較手段としての機能を有する。
【００５６】
そして、上記制御装置１０７は、上記表示印刷判定装置１０９による比較結果（判定結果）に応じて、入力画像を表示させるか、あるいは印刷させるかを制御する。この詳細については後述する。
【００５７】
上記構成の情報処理装置において、画像入力装置１０２によって入力された画像は、一旦、画像記憶装置１０４に記憶され、画像評価装置１０５にて評価（画像特徴情報の特定）が行われる。そして、画像評価装置１０５にて評価された入力画像は、評価情報（画像特徴情報）と共に制御装置１０７に送られ、この評価情報に基づいて、表示装置１０１に選択的に表示される。
【００５８】
ここで、上記画像評価装置１０５について、図２を参照しながら以下に説明する。なお、本説明において、画像評価装置１０５は、画像入力装置１０２から入力される画像（以下、入力画像と称する）を、デジタルカメラで撮影した画像とし、その画像の、逆光である判定度合い（以下、逆光度合いと称する）、ピンボケである判定度合い（以下、ピンボケ度合いと称する）、露光不足である判定度合い（以下、露光不足度合いと称する）を評価情報として出力するものとする。
【００５９】
このため、上記画像評価装置１０５は、図２に示すような構成となっている。すなわち、画像評価装置１０５は、入力画像を複数のブロックに分割するブロック分割部（ブロック分割手段）２０１と、上記ブロック分割部２０１によって得られたブロック毎の輝度から入力画像の特徴を示す画像特徴情報を特定するための輝度情報を算出する輝度情報算出部（輝度情報算出手段）２０２と、上記輝度情報算出部２０２によって算出された輝度情報と、予め設定された画像特徴情報に対応付けられた輝度情報との一致度合いから、入力された画像の画像特徴を判定する画像特徴判定部（画像特徴判定手段）２０３とからなり、さらに、上記画像特徴判定部２０３で画像特徴を判定するのに使用する複数の画像特徴（評価情報：逆光度合い、ピンボケ度合い、露光不足度合いを示す情報）を輝度情報を特徴毎に対応付けて格納している輝度情報特徴データベース２０４を備えている。この輝度情報特徴データベース２０４には、画像特徴判定部２０３で使用する画像の特徴を判定するのに必要な種々の換算表が含まれている。また、この輝度情報特徴データベース２０４に格納されているデータは書き換え可能となっている。
【００６０】
上記画像特徴判定部２０３は、分類装置２１０、逆光判定部２１１、ピンボケ判定部２１２、露光不足判定部２１３で構成されている。
【００６１】
上記分類装置２１０は、上記輝度情報特徴データベース２０４を参照し、該輝度情報特徴データベース２０４に格納されている輝度情報と、上記輝度情報算出部２０２で算出された輝度情報との一致度合いから入力画像の特徴（逆光度合い、ピンボケ度合い、露光不足度合い）を分類し、その結果を分類情報として後段の各判定部（逆光判定部２１１、ピンボケ判定部２１２、露光不足判定部２１３）に出力するようになっている。
【００６２】
上記逆光判定部２１１は、上記分類装置２１０からの分類情報に含まれる逆光度合いを示す情報を受け取ると、この情報に基づいて逆光である判定度合いを示す情報を評価情報として出力する。
【００６３】
上記ピンボケ判定部２１２は、上記分類装置２１０からの分類情報に含まれるピンボケ度合いを示す情報を受け取ると、この情報に基づいてピンボケである判定度合いを示す情報を評価情報として出力する。
【００６４】
上記露光不足判定部２１３は、上記分類装置２１０からの分類情報に含まれる露光不足度合いを示す情報を受け取ると、この情報に基づいて露光不足である判定度合いを示す情報を評価情報として出力する。
【００６５】
このように、上記構成の画像評価装置１０５は、入力画像を評価しつつ、その評価情報を、該入力画像と共に制御装置１０７に出力する。
【００６６】
上記画像評価装置１０５における具体的な画像評価の処理について、以下に説明する。ここでは、入力画像として、図３に示す画像例３０１、図４に示す画像例４０１を用いて説明する。なお、図３と図４に示す画像は同じ入力画像とする。
【００６７】
＜逆光の判定＞
逆光である判定度合いを求める例について説明する。
【００６８】
図３に示す画像例３０１において、画面中央部Ａに位置する複数の画素の輝度の平均輝度と、画面端Ｂに位置する複数の画素の輝度の平均輝度とを求める。これは、画像評価装置１０５の輝度情報算出部２０２によって行われる。
【００６９】
具体低には、画面中央部Ａの平均輝度は２１２、画面端Ｂの平均輝度は５３である。
【００７０】
ここで、上記画面中央部Ａと画面端Ｂは、本実施の形態では、以下のように定義する。なお、これに限定されるものではない。
【００７１】
画面中央部Ａは、図３に示す画像例３０１が３２０×２４０ピクセルの画像である場合、その中央（画面左上から（１６０、１２０））の位置を中心とする縦横それぞれ画像の大きさの１０％の領域、すなわち、左上（１６０−３２／２、２４０−２４／２）、右下（１６０＋３２／２、２４０＋２４／２）とする矩形領域とする。
【００７２】
画面端Ｂは、図３に示す画像例３０１が３２０×２４０ピクセルの画像であ場合、画面右下縦横それぞれ画像の大きさの１０％の領域、すなわち、左上（３２０−３２、２４０−２４）、右下（３１９、２３９）とする矩形領域とする。
【００７３】
逆光である判定度合いは、画面中央部Ａの平均輝度から画面端Ｂの平均輝度を除算して得られた輝度と、以下の表１に示す逆光度換算表とから求める。ここで、輝度は、０〜２５５で表現する。以下の各判定も同様に、輝度は、０〜２５５で表現する。
【００７４】
【表１】
2006344183.tif 000003
【００７５】
上記逆光度換算表は、輝度情報特徴データベース２０４に格納され、分類装置２１０によって参照されるものである。
【００７６】
画面中央部Ａの輝度（２１２）から画面端Ｂの輝度（５３）を除すると、１５９となる。この値が、表１に示した逆光度換算表のどこに合致しているかを判断すると、逆光度が０％に対応する値に合致していることが分かる。つまり、図３に示した画像例３０１は、逆光度が０％ということになり、逆光状態でないことが分かる。
【００７７】
＜露光不足の判定＞
露光不足である判定度合いを求める例について説明する。
【００７８】
露光不足である判定度合いは、前述の逆光である判定度合いを求める方法と類似した方法で求めることができる。すなわち、逆光の場合、画面中央部Ａの平均輝度と画面端Ｂの平均輝度との差が重要であったが、露光の場合は、画面中央部Ａの平均輝度と画面端Ｂの平均輝度との和が重要である。従って、露光不足である判定度合いは、画面中央部Ａの平均輝度と画面端Ｂの平均輝度との和と、以下の表２に示す露光不足換算表とから求める。
【００７９】
【表２】
2006344183.tif 000004
【００８０】
上記露光不足換算表は、輝度情報特徴データベース２０４に格納され、分類装置２１０によって参照されるものである。
【００８１】
画面中央部Ａの輝度（２１２）と画面端Ｂの輝度（５３）とを加えると、２６５となる。この値が、表２に示した露光不足換算表のどこに合致しているかを判断すると、露光部速度が２０％に対応する値に合致していることが分かる。つまり、図３に示した画像例３０１は、露光不足度が２０％ということになる。
【００８２】
＜ピンボケの判定＞
ピンボケである判定度合いを求める例について説明する。
【００８３】
図４に示す画像例４０１において、画面中央部の矩形領域Ｃにおける輝度帯毎の画素の数をカウントする。これは、画像評価装置１０５の輝度情報算出部２０２によって行われる。
【００８４】
ここで、上記矩形領域と輝度帯は、本実施の形態では、以下のように定義する。なお、これに限定されるものではない。
【００８５】
輝度帯は、連続する１つ以上の輝度の集合とする。ただし、ある輝度は複数の輝度帯に属することはできない。例えば輝度の表現が０〜２５５で表現される場合、輝度０〜１００は複数の輝度の集合であるため、輝度帯である。
【００８６】
矩形領域Ｃは、画面中央部の指定された矩形とする。図４において、３２０×２４０ピクセルの画像例４０１に対して中央（画面左上から（１６０、１２０））の位置を中心とする縦１ピクセル、横画像の大きさの１０％の領域、すなわち、左上（１６０−３２／２、２４０）、右下（１６０＋３２／２、２４０）とする矩形領域とする。
【００８７】
図４に示す画像例４０１の矩形領域Ｃにおいて行った輝度帯毎の画素数の分布を検出した結果を、以下の表３に示す。
【００８８】
【表３】
2006344183.tif 000005
【００８９】
表３では、４つの輝度帯毎に画素数の分布を検出した例を示している。すなわち、矩形領域Ｃに存在する画素数を３２とし、矩形鑞域の画素数に対する各輝度帯に属する画素数の割合を算出した結果を示している。この表３は、画像評価装置１０５にて求められ、輝度情報特徴データベース２０４に一旦記憶される。
【００９０】
続いて、表３に示した輝度帯毎の画素数の分布状態と、以下に示す表４のピンボケ換算表からピンボケである判定度合いを求める。
【００９１】
【表４】
2006344183.tif 000006
【００９２】
ここで、表３では、輝度帯ごとの画素数の分布で最も高い数値であるのは、輝度帯０〜１００の分布５０％である。そして、分布５０％が表４で該当するのはピンボケ度０％である。つまり、図４に示す画像例４０１は、ピンボケしていない画像であることが分かる。
【００９３】
以上の結果、図３および図４に示す入力画像の逆光である判定度合い、ピンボケである判定度合い、露光不足である判定度合いをまとめると以下の表５のようになる。この表５に示す結果を入力画像の画像特徴情報、すなわち評価情報とする。
【００９４】
【表５】
2006344183.tif 000007
【００９５】
上記表示印刷判定装置１０９は、図５に示すように、判定値分類部５０１、判定動作分類部５０２、判定動作分類テーブル５０３を備えた構成となっている。
【００９６】
上記判定値分類部５０１は、画像判定結果、すなわち画像評価装置１０５による入力画像の評価情報（逆光度ｘｘ％、ピンボケ度ｘｘ％、露出不足度ｘｘ％）が入力されることで、予め設定した複数種類の判定値（判定ｘ（ｘ＝１、２、３、４））のいずれかを分類するようになっている。
【００９７】
上記判定動作分類部５０２は、上記判定値分類部５０１にて分類された判定値と、判定動作分類テーブル５０３とから、該判定値に対応する判定動作（判定１〜判定４）を読出し、その読出した判定動作データを、表示印刷動作指示信号として出力するようになっている。
【００９８】
ここで、判定動作分類テーブル５０３には、判定１として、表示は不可（×）、制限印刷は不可（×）、印刷は不可（×）という判定動作が対応し、判定２として、表示は可（○）、制限印刷は不可（×）、印刷は不可（×）という判定動作が対応し、判定３として、表示は可（○）、制限印刷は可（○）、印刷は不可（×）という判定動作が対応し、判定４として、表示は可（○）、制限印刷は不可（×）、印刷は可（○）という判定動作が対応するように格納されている。ここで、制限印刷とは、画像の解像度を落として印刷したり、あるいは縮小して印刷したりすることを示す。
【００９９】
例えば、上記画像評価装置１０５による評価結果が、以下の表６に示すような４種類の画像Ａ〜画像Ｄについて、上記判定分類部による分類は、以下の表７を参照して行われる。
【０１００】
【表６】
2006344183.tif 000008
【０１０１】
【表７】
2006344183.tif 000009
【０１０２】
表６および表７から、各画像の分類結果は以下のようになる。
【０１０３】
画像Ａ・・・・・判定４
画像Ｂ・・・・・判定１
画像Ｃ・・・・・判定２
画像Ｄ・・・・・判定３
そして、上記の各分類結果に基づいて、上記判定動作分類部５０２は、下記の表８に示すような各判定に対応する動作をさせるように制御装置１０７に指示する。
【０１０４】
【表８】
2006344183.tif 000010
【０１０５】
従って、本情報処理装置においては、画像Ａ〜Ｄについては次のような動作が実行される。
【０１０６】
〔画像Ａ〕
判定４なので、表示装置１０１上に画像Ａが表示され、印刷時にも何の制限もなく画像印刷装置１０８によって印刷が行われる。
【０１０７】
〔画像Ｂ〕
判定１なので、表示装置１０１上に画像Ｂは表示されず、印刷画像を選択する対象にはならないように制御される。
【０１０８】
〔画像Ｃ〕
判定２なので、表示装置１０１上に画像Ｃは表示されるが、印刷操作を行うと図６に示すような、印刷不可メッセージが該表示装置１０１に表示され印刷出来ないように制御される。
【０１０９】
もしくは、図７に示すような、警告メッセージを表示装置１０１に表示させてユーザに印刷を続けるか中止するかの選択を行わせるようにする。
【０１１０】
〔画像Ｄ〕
判定３なので、表示装置１０１上に画像Ｄは表示されるが、画像印刷装置１０８による印刷時に最適な画像サイズに変換されて印刷されるように制御される。
【０１１１】
例えば、画像Ｄを印刷時にＡ４サイズでの印刷を指定した場合でも、画像印刷装置１０８内部の印刷サイズ判定部（図示せず）により２Ｌ版までが最適な画像サイズと判定された場合は２Ｌ版で印刷が行われる。ただし、印刷時に２Ｌ版以下を指定していた場合はそのサイズで印刷される。
【０１１２】
もしくは、図８に示すような、メッセージを表示し最適なサイズで印刷するかそれとも指定したサイズで印刷するかの問合せをユーザに求めるようにしてもよい。
【０１１３】
この場合、「決定」を選択した場合は２Ｌ版で印刷を行うが、「キャンセル」を選択した場合はユーザが指定したサイズで印刷が行われる。
【０１１４】
上記構成の情報処理装置の動作の流れについて、図９に示すフローチャートおよび図１、図２、図５に示すブロック図等を参照しながら以下に説明する。
【０１１５】
まず、画像入力装置１０２により画像が入力される（ステップＳ１）と、画像判定処理が実行される（ステップＳ２）。ここでは、画像評価装置１０５により入力画像の画像評価情報（逆光度、ピンボケ度、露出不足度）を求めて、この画像評価情報に基づいて表示印刷判定装置１０９の判定値分類部５０１によ画像判定が行われる。この画像判定は、表７に示すように４段階の判定１〜判定４で示す。
【０１１６】
そして、判定動作分類部５０２は、画像の判定結果が判定１であるか否かを判断する（ステップＳ３）。ここで、判定１であると判断されれば、表８に示す判定１の処理が実行される。すなわち、入力画像は画像選択の対象から除外されるので、表示装置１０１になにも表示しないようにするための指示信号を制御装置１０７に送出し（ステップＳ４）、処理を終了する。
【０１１７】
また、ステップＳ３において、判定結果が判定１でないと判断されれば、判定結果が判定２であるか否かを判断する（ステップＳ５）。ここで、判定２であると判断されれば、表８に示す判定２の処理が実行される。
【０１１８】
すなわち、表示装置１０１に入力画像を表示させるための指示信号を制御装置１０７に送出する（ステップＳ６）。
【０１１９】
次に、制御装置１０７は、印刷開始操作をするか否かを判断する（ステップＳ７）。ここで、印刷開始操作をしないと判断すれば、処理を終了する。一方、印刷開始操作をすると判断すれば、印刷開始操作を行うが、表示装置１０１上に印刷不可メッセージを表示する（ステップＳ１０８）。ここでは、印刷不可メッセージを表示するようにしているが、図７に示すように、ユーザに対して印刷の実行の選択させるようにしてもよい。
【０１２０】
また、上記のステップＳ５において、判定結果が判定２でないと判断されれば、判定結果が判定３であるか否かを判断する（ステップＳ９）。ここで、判定３であると判断されれば、表８に示す判定３の処理が実行される。
【０１２１】
すなわち、表示装置１０１に入力画像を表示させるための指示信号を制御装置１０７に送出する（ステップ１０）。
【０１２２】
次に、制御装置１０７は、印刷開始操作をするか否かを判断する（ステップＳ１１）。ここで、印刷開始操作をしないと判断すれば、処理を終了する。一方、印刷開始操作をすると判断すれば、最適サイズで印刷するか否かを判断する（ステップＳ１２）。
【０１２３】
ステップＳ１２において、最適サイズで印刷すると判断されれば、最適な用紙サイズで印刷するように指示する指示信号が画像印刷装置１０８に送出され、印刷が実行される（ステップＳ１３）。
【０１２４】
一方、ステップＳ１２において、最適サイズで印刷しないと判断されれば、ステップＳ１７に移行して、そのままのサイズで印刷するように指示する指示信号が画像印刷装置１０８に送出され、印刷が実行される。
【０１２５】
また、上記ステップＳ９において、判定結果が判定３でないと判断されれば、判定結果が判定４であるか否かを判断する（ステップＳ１４）。ここで、判定結果が４であると判断されれば、表８に示す判定４の処理が実行される。
【０１２６】
すなわち、表示装置１０１に入力画像を表示させるための指示信号を制御装置１０７に送出する（ステップ１５）。
【０１２７】
次に、制御装置１０７は、印刷開始操作をするか否かを判断する（ステップＳ１６）。ここで、印刷開始操作をしないと判断すれば、処理を終了する。一方、印刷開始操作をすると判断すれば、印刷するように指示する指示信号が画像印刷装置１０８に送出され、印刷が実行される（ステップＳ１７）。
【０１２８】
一方、ステップＳ１４において、判定結果が判定４でないと判断されれば、処理を終了する。
【０１２９】
以上のように、本実施の形態にかかる情報処理装置によれば、入力画像を画像特徴情報、すなわち画像評価情報（逆光度、ピンボケ度、露出不足度）に基づいて、印刷に適するか否かを判断し、その印刷可能か否かを示す印刷可能度合い（本実施の形態では、判定１〜判定４）に応じて、入力画像に対する処理を決定するようになっているので、印刷には適さない画質が良好でない画像を表示して選択するための無駄な処理時間が短縮できる。
【０１３０】
また、印刷時に画像の良否を確認することにより無駄なインクや紙の消費を抑える。しかも、印刷時に、印刷サイズの適否についても判断されるので、印刷に適した良好な画像サイズで印刷が可能である。
【０１３１】
なお、上記構成の情報処理装置において、画像評価装置１０５が画像評価を行う際の評価基準である、逆光度換算表、露光不足換算表、ピンボケ換算表については、一度、評価した画像の表示結果を参考に変更することも可能である。このように評価基準を変更する例について、図１０を参照しながら以下に説明する。
【０１３２】
図１０に示す画像評価装置１００４は、図２に示す画像評価装置１０５とほぼ同じ構成であるが、評価基準を変更するための評価基準変更部２０５を備えている点で異なる。他の構成要素については、図２に示す画像評価装置１０５と同じなので、詳細な説明は省略する。
【０１３３】
この場合、輝度情報特徴データベース２０４には、輝度情報が書き換え可能に格納されている。これにより、評価基準となる輝度情報の変更が可能となる。つまり、評価基準変更部２０５は、上記輝度情報を変更するための輝度情報変更手段としての機能を備えていることになる。
【０１３４】
具体的には、上記評価基準変更部２０５は、図１に示す操作ボタン群（入力手段）１０６からの評価基準を変更するための指示信号が入力されると、その指示信号に基づいて、輝度情報特徴データベース２０４に格納されている各換算表を変更するようになっている。
【０１３５】
例えば、逆光度についての評価基準を変更する場合について説明する。
【０１３６】
まず、ある入力画像において、画面中央部Ａの平均輝度−画面端Ｂの平均輝度の値が７０であるとき、以下の表９に示す逆光度換算表を用いた場合、逆光度は３０％であると判定される。
【０１３７】
【表９】
2006344183.tif 000011
【０１３８】
ここで、上記のように逆光度が３０％であると判定された入力画像を、オペレータが見たとき、逆光度は２０％が妥当であると判断し、操作パネル（例えば、図１に示す操作ボタン群１０６）を操作し、当該入力画像の逆光度が２０％となるように指示信号を評価基準変更部２０５に与える。
【０１３９】
この場合、評価基準変更部２０５では、上記入力画像データにおいて、画面中央部Ａの平均輝度−画面端Ｂの平均輝度が７０のときに、逆光度が２０％となるように、表９における評価基準を示す（６）列の７５を７０に変更すると共に、（５）列の７４を６９に変更する。このようにして変更された逆光度換算表は、以下の表１０に示すようになる。
【０１４０】
【表１０】
2006344183.tif 000012
【０１４１】
このように、逆光度換算表における評価基準をオペレータにより再設定できるようにすることで、入力画像に対する逆光度の判定精度を向上させることができる。
【０１４２】
また、入力画像の画像特徴情報として、露光不足度、ピンボケ度についても上記の逆光度と同様にオペレータによりその評価基準を変更することができる。例えば、露光不足換算表の評価基準、ピンボケ換算表の評価基準も、逆光度換算表における評価基準の変更と同様に、オペレータにより操作パネルを操作することで簡単に評価基準を変更することが可能となる。
【０１４３】
ここで、一度入力された画像の画面中央部Ａの平均輝度と、画面端Ｂの平均輝度は、主記憶装置１０３あるいは画像記憶装置１０４に保存し、再評価の際に使用するようにすればよい。これにより、同一画像に対して再評価を行う際の処理の効率化を図ることができる。
【０１４４】
なお、再評価を行う際には、再度、画像の画面中央部Ａの平均輝度と、画面端Ｂの平均輝度とを求めてもよい。
【０１４５】
また、オペレータによる再評価を行う際に、オペレータの故意または過失の操作よって、例えば、逆光のひどい画像に逆光０％の評価をつけた場合、今までの換算表に致命的な変更を加えてしまう虞がある。
【０１４６】
そこで、このような問題を回避するために、以下のような措置を講じる。
（１）評価値を更新する際に「いいですか」と確認を要求するユーザーインターフェイス（ＵＩ）を設ける。
（２）評価値を更新する前に、現在の評価値を記憶しておき、評価値を元に戻すことができるＵＩを設ける。この場合、評価値の記憶は複数でもよい。
（３）評価値の変更の値、あるいは変更の幅があらかじめ設定された範囲を超えた場合、「いいですか」と確認を要求するＵＩを設ける。
（４）評価値を、いつでも初期値に戻すことができるＵＩを設ける。
【０１４７】
これらの措置は一例であり、上記のような問題を回避する手段であれば、何れを採用してもよい。
【０１４８】
また、上記構成の輝度情報特徴データベース２０４では、画像のカテゴリ毎に設けた変換表（テーブル）を持っていてもよい。あるいは、画像のカテゴリ毎にテーブルを入れ替えてもよい。
【０１４９】
ここで、一つの画像のカテゴリを、例えば、風景、人物、生物とし、他の画像のカテゴリを、例えば、デジタルカメラ、シートスキャナとし、さらに他の画像のカテゴリを、例えば、解像度別とし、さらに他の画像のカテゴリを、例えば、デジタルカメラの機種別とする。
【０１５０】
従って、上記輝度情報特徴データベース２０４には、画像のカテゴリ毎のテーブルが格納されているか、あるいは画像のカテゴリ毎のテーブルを入れ替えることにより多種多様な画像のカテゴリに対応できる情報処理装置を提供することができる。
【０１５１】
ここでテーブルの入れ替えとは、例えば、輝度帯の表を下記の表１１から表１２に置換することを意味する。
【０１５２】
【表１１】
2006344183.tif 000013
【０１５３】
【表１２】
2006344183.tif 000014
【０１５４】
上記の表１１に示す輝度帯の表から、ピンボケ度が０％であると判定された入力画像は、上記の表１２に示す輝度帯の表から、ピンボケ度が１００％であると判定される。
【０１５５】
これは、全体に暗い画像、あるいは逆に全体に明るい画像などの場合に、輝度帯を調節することにより、ユーザーの判定に近づけ、適切な判定結果を得ることができる。
【０１５６】
上記構成の情報処理装置によれば、画像入力装置１０２から入力された複数の画像を画像入力装置１０２に同時に表示した場合であっても、各画像は画像の特徴を示す情報（逆光度合い、ピンボケ度合い、露光不足度合い）が一緒に表示されるようになっているので、オペレータは容易に画像の良否を確認できる。
【０１５７】
そして、オペレータは画像の良否結果により、適切に画像データの処遇を決定することができる。
【０１５８】
これにより、複数の画像を画像表示装置１０１に表示した場合に、良好でない画像を選択して印刷することを防ぐことができる。
【０１５９】
しかも、一度算出した評価情報（画像特徴情報）をデータベース化することで、都度評価処理を行う必要がなくなり、結果として、演算量を少なくすることができる。
【０１６０】
このように演算量が少なければ、画像の判定を少ない演算量で高速に実行できるので、演算装置に高性能化を求める必要はなく、現時点で汎用の安価な演算装置を利用することができる。この結果として、情報処理装置全体のコストを下げることが可能となる。
【０１６１】
また、上述のように、画像のカテゴリ毎に、画像の特徴情報を格納したデータベースを入れ替えることにより、常に、最適な画像の評価を行うことができる。
【０１６２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１６３】
なお、上記実施形態の情報処理装置の各部や各処理ステップは、ＣＰＵなどの演算手段が、ＲＯＭ（Read Only Memory）やＲＡＭなどの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読み取り、当該プログラムを実行するだけで、本実施形態の情報処理装置の各種機能および各種処理を実現することができる。また、上記プログラムをリムーバブルな記録媒体に記録することにより、任意のコンピュータ上で上記の各種機能および各種処理を実現することができる。
【０１６４】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【０１６５】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【０１６６】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【０１６７】
また、インターネットを含む通信ネットワークを接続可能なシステム構成であれば、通信ネットワークからプログラムをダウンロードするように流動的にプログラムを担持する記録媒体であることが好ましい。
【０１６８】
さらに、このように通信ネットワークからプログラムをダウンロードする場合には、そのダウンロード用のプログラムは予め本体装置に格納しておくか、あるいは別な記録媒体からインストールされるものであることが好ましい。
【産業上の利用可能性】
【０１６９】
入力画像を印刷する際に、印刷の必要のない画像を的確に認識しできるので、複数の画像を印刷するような印刷装置に好適である。
【図面の簡単な説明】
【０１７０】
【図１】本発明の実施形態を示すものであり、情報処理装置の要部構成を示すブロック図である。
【図２】図１に示す情報処理装置の画像評価装置の要部構成を示すブロック図である。
【図３】図２に示す画像評価装置において、逆光度を求める説明を行う際に使用する図である。
【図４】図２に示す画像評価装置において、ピンボケ度を求める説明を行う際に使用する図である。
【図５】図１に示す情報処理装置の表示印刷判定装置の要部構成を示すブロック図である。
【図６】図５に示す表示印刷判定装置による判定結果の一表示例を示す図である。
【図７】図５に示す表示印刷判定装置による判定結果の一表示例を示す図である。
【図８】図５に示す表示印刷判定装置による判定結果の一表示例を示す図である。
【図９】図１に示す情報処理装置の表示印刷判定処理の流れを示すフローチャートである。
【図１０】図１に示す情報処理装置の他の画像評価装置の要部構成を示すブロック図である。
【符号の説明】
【０１７１】
１０１  表示装置（表示手段）
１０５  画像評価装置（画像特徴情報特定手段）
１０６  操作ボタン群（入力手段）
１０７  制御装置（表示印刷制御手段）
１０８  画像印刷装置（画像印刷手段）
１０９  表示印刷判定装置（比較手段）
２０１  ブロック分割部（ブロック分割手段）
２０２  輝度情報算出部（輝度情報算出手段）
２０３  画像特徴判定部（画像特徴判定手段）
２０４  輝度情報特徴データベース
２０５  評価基準変更部（輝度情報変更手段）
２１０  分類装置（分類手段）
５０１  判定値分類部
５０２  判定動作分類部
５０３  判定動作分類テーブル
【図１】
2006344183.tif 000015
【図２】
2006344183.tif 000016
【図３】
2006344183.tif 000017
【図４】
2006344183.tif 000018
【図５】
2006344183.tif 000019
【図６】
2006344183.tif 000020
【図７】
2006344183.tif 000021
【図８】
2006344183.tif 000022
【図９】
2006344183.tif 000023
【図１０】
2006344183.tif 000024